(57)【要約】      （修正有）【課題】テレビ機能と拡張機能とを利用するための操作性に優れたインタフェースを備えた放送受信装置等を提供する。【解決手段】表示部５と一体に形成されたタッチパネル４を備えた放送受信装置であって、テレビジョン放送信号を処理して上記表示部に出力するテレビ信号処理装置２と、上記テレビジョン放送信号を処理する機能に加えて当該放送受信装置に付加される、１または複数の拡張機能を実行する拡張機能実行装置１と、を備え、拡張機能実行装置は、表示領域を上記拡張機能実行画面に対するタッチ操作を受け付ける操作可能領域として特定する領域特定手段４２と、上記タッチパネルが検出する位置情報に基づいて、タッチ操作された位置が上記操作可能領域上であるか否かを判定する入力判定手段４１と、を有する。【選択図】図１
2015056745.tif 000002
【特許請求の範囲】
【請求項１】
表示部と一体に形成されたタッチパネルを備えた放送受信装置であって、
テレビジョン放送信号を処理して上記表示部に出力するテレビ信号処理装置と、
上記テレビジョン放送信号を処理する機能に加えて当該放送受信装置に付加される、１または複数の拡張機能を実行する拡張機能実行装置と、を備え、
上記テレビ信号処理装置は、
上記テレビジョン放送信号を処理して生成したテレビ画面、および、上記拡張機能実行装置が上記拡張機能を実行した結果として出力した拡張機能実行画面の少なくともいずれか１つを、上記表示部に表示する出力制御手段と、
上記出力制御手段によって表示される上記テレビ画面および上記拡張機能実行画面のうち、少なくとも上記拡張機能実行画面の表示領域を上記拡張機能実行装置に通知する通知手段と、を有し、
上記拡張機能実行装置は、
上記通知手段によって通知された表示領域を、上記拡張機能実行画面に対するタッチ操作を受け付ける操作可能領域として特定する領域特定手段と、
上記タッチパネルが検出する位置情報に基づいて、タッチ操作された位置が上記操作可能領域上であるか否かを判定する入力判定手段と、を有する、
ことを特徴とする放送受信装置。
【請求項２】
上記通知手段は、上記テレビ画面を表示するテレビ画面表示モード、上記拡張機能実行画面を表示する拡張機能実行画面表示モード、および、両方の画面を表示する混在表示モードのうち、上記出力制御手段が実施している表示モードを上記拡張機能実行装置に通知し、
上記領域特定手段は、上記通知手段によって通知された表示モードによって指定される拡張機能実行画面の表示領域を操作可能領域として特定することを特徴とする請求項１に記載の放送受信装置。
【請求項３】
上記タッチパネルおよび上記テレビ信号処理装置が接続されたコネクタを有し、該コネクタを介して、上記拡張機能実行装置が着脱可能に構成されていることを特徴とする請求項１または２に記載の放送受信装置。
【請求項４】
表示部と一体に形成されたタッチパネルを備えた放送受信装置の制御方法であって、
上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、
上記テレビ信号処理装置が上記テレビジョン放送信号を処理して生成したテレビ画面、および、上記拡張機能実行装置が上記拡張機能を実行した結果として出力した拡張機能実行画面のうち、上記テレビ信号処理装置が上記表示部に表示する、少なくとも上記拡張機能実行画面の表示領域を上記テレビ信号処理装置が上記拡張機能実行装置に通知する通知ステップを含み、
上記通知ステップによって通知された表示領域を、上記拡張機能実行画面に対するタッチ操作を受け付ける操作可能領域として上記拡張機能実行装置が特定する領域特定ステップと、
上記タッチパネルが検出した位置情報に基づいて、タッチ操作された位置が上記操作可能領域上であるか否かを上記拡張機能実行装置が判定する入力判定ステップと、を含む、
ことを特徴とする放送受信装置の制御方法。
【請求項５】
表示部と一体に形成されたタッチパネルを備えた放送受信装置であって、
テレビジョン放送信号を処理して上記表示部に出力するテレビ信号処理装置と、
上記テレビジョン放送信号を処理する機能に加えて当該放送受信装置に付加される、１または複数の拡張機能を実行する拡張機能実行装置と、を備え、
上記テレビ信号処理装置は、
上記テレビジョン放送信号を処理して生成したテレビ画面を、上記表示部に表示する出力制御手段と、
上記拡張機能実行装置により指定された部分領域画像を含む上記テレビ画面を合成した合成画面を、上記テレビ画面として生成する画面合成手段と、を有し、
上記拡張機能実行装置は、
上記画面合成手段によって上記テレビ画面に重ね合わせる上記部分領域画像を指定する部分領域画像指定手段と、
上記タッチパネルが検出する位置情報に基づいて、タッチ操作された位置が、上記部分領域画像上であるか否かを判定する入力判定手段と、を有する、
ことを特徴とする放送受信装置。
【発明の詳細な説明】
【技術分野】
【０００１】
本発明はタッチパネルを有する放送受信装置等に関する。
【背景技術】
【０００２】
近年、スマートテレビと呼ばれるデジタルテレビが普及し始めている。スマートテレビは、従来のテレビ機能（テレビジョン放送信号を受信して処理する機能など）に加えて、拡張機能、すなわち、パソコン、インターネット、通信などの高度で多様な機能を有するテレビである。
【０００３】
インターネット回線に接続されたスマートテレビがあれば、その他の複数の機器を要せずとも、ユーザは、従来のテレビ放送に加えて、様々なコンテンツを閲覧することが可能となる。例えば、自宅にいながら、有料番組提供者が提供する映画またはドラマなどをビデオオンデマンドで視聴したり、外付けＨＤＤ（Hard Disc drive）、クラウド・ストレージ、動画投稿サイト等から、一般のユーザによって生成されたコンテンツを閲覧したりすることがスマートテレビ１台で容易にできる。
【０００４】
以上のとおり、スマートテレビには、スマートフォンまたはタブレットなどと同じように、高度な双方向性および自由で多様な利用の要求に応えられる拡張機能が備わるようになってきた。これに合わせて、スマートテレビには、スマートフォンまたはタブレットなどと同等の操作性が要求されるようになってきた。
【０００５】
スマートフォンまたはタブレットの特長としては、タッチパネルによる直観的かつ恣意的な操作が可能である点、アプリケーションをダウンロードすることによって新しい機能を容易に取り込むことができる点などが挙げられる。
【０００６】
従来のテレビ機能と、直感的に操作することが可能な拡張機能とを融合して、１台の装置に取り込ませるために、従来様々な工夫がなされてきた。
【０００７】
例えば、特許文献１には、テレビ視聴と来客視認の両方を十分に機能させることが可能なインターフォン装置が開示されている。
【０００８】
また、特許文献２には、テレビを遠隔操作する入力装置、いわゆるリモコンをタッチパネルで実現することにより、直感的に操作できる利便性を備えたデジタル放送受信装置が開示されている。
【０００９】
また、特許文献３には、スマートフォンまたはタブレットなどの携帯電話機に提供されるコンテンツを、テレビにて利用することを実現した画像表示装置が開示されている。この画像表示装置は、携帯電話機からＨＤＭＩ（登録商標）変換回路経由で映像信号を受け取る。そして、携帯電話機から受け取った映像信号と、自身が処理した放送映像信号とを、それぞれ、アプリケーションデータエリアとＴＶデータエリアとに分けて、１つの画面に混在表示させることができる。
【先行技術文献】
【特許文献】
【００１０】
【特許文献１】特開２００６−２９５７４４号公報（２００６年１０月２６日公開）
【特許文献２】特開２０１０−１１４５８６号公報（２０１０年５月２０日公開）
【特許文献３】特開２０１１−２１７０９３号公報（２０１１年１０月２７日公開）
【発明の概要】
【発明が解決しようとする課題】
【００１１】
しかしながら、上記従来の構成では、以下の問題を生じる。
【００１２】
特許文献３の画像表示装置では、画面上のアプリケーションデータエリアに対する操作も、ＴＶデータエリアに対する操作も、従来のテレビのリモコンによって行うことになる。しかしながら、携帯電話機のアプリケーションに対して、タッチパネル以外の入力装置（従来のリモコンなど）で操作することは、ユーザの混乱を誘発し、操作が煩わしくなるという問題がある。
【００１３】
スマートテレビには、従来のテレビ放送を処理する制御部と、拡張機能を実現する制御部とが含まれているが、後者には、一般に、スマートフォンまたはタブレット等の携帯端末装置と同じプラットフォームが採用されている。そのため、後者の制御部が実現する機能には、入力装置としてタッチパネルを想定したものが多く、従来のリモコン操作によって利用しようとすると、特許文献３と同様に、操作が煩雑になるという問題がある。
【００１４】
また、特許文献２のように、手元のタッチパネルリモコンでテレビを操作することが考えられるが、ユーザは、手元のタッチパネルの画面と、テレビの画面との間で視線を往復させなければいけない。したがって、特許文献２の技術を採用しても、スマートフォンまたはタブレットなどと同等の操作性が実現されるとは言えず、特許文献３の画像表示装置における、混在表示のメリットも生かせない。その上、特許文献２の構成では、タッチパネルに接続されたテレビ放送を処理する制御部（ＣＰＵ、メモリなど）が、タッチパネルからの複雑な入力情報を処理することになるため、当該制御部の処理負荷が増大するという問題がある。
【００１５】
以上のことから、従来の技術では、拡張機能を併せ持つスマートテレビにおいて、従来のテレビ機能と、拡張機能とを利用するための操作性に優れたインタフェースを提供することができない。
【００１６】
なお、特許文献１の技術では、表示装置にどのような画面が表示されているのか、どこにどのようなタッチパネル用アイコンが表示されているのか、どこがタッチされたのか、などを１つの制御部が管理しているため、そもそも、上記の問題は起こらない。
【００１７】
本発明は、上記の問題点に鑑みてなされたものであり、その目的は、テレビ機能と拡張機能とを利用するための操作性に優れたインタフェースを備えた放送受信装置等を提供することにある。
【課題を解決するための手段】
【００１８】
上記の課題を解決するために、本発明の一態様に係る放送受信装置は、表示部と一体に形成されたタッチパネルを備えた放送受信装置であって、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置と、を備え、上記テレビ信号処理装置は、上記テレビジョン放送信号を処理して生成したテレビ画面、および、上記拡張機能実行装置が上記拡張機能を実行した結果として出力した拡張機能実行画面の少なくともいずれか１つを、上記表示部に表示する出力制御手段と、上記出力制御手段によって表示される上記テレビ画面および上記拡張機能実行画面のうち、少なくとも上記拡張機能実行画面の表示領域を上記拡張機能実行装置に通知する通知手段と、を有し、上記拡張機能実行装置は、上記通知手段によって通知された表示領域を、上記拡張機能実行画面に対するタッチ操作を受け付ける操作可能領域として特定する領域特定手段と、上記タッチパネルが検出する位置情報に基づいて、タッチ操作された位置が上記操作可能領域上であるか否かを判定する入力判定手段と、を有する。
【００１９】
また、本発明の一態様に係る放送受信装置の制御方法は、表示部と一体に形成されたタッチパネルを備えた放送受信装置の制御方法であって、上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、上記テレビ信号処理装置が上記テレビジョン放送信号を処理して生成したテレビ画面、および、上記拡張機能実行装置が上記拡張機能を実行した結果として出力した拡張機能実行画面のうち、上記テレビ信号処理装置が上記表示部に表示する、少なくとも上記拡張機能実行画面の表示領域を上記テレビ信号処理装置が上記拡張機能実行装置に通知する通知ステップを含み、上記通知ステップによって通知された表示領域を、上記拡張機能実行画面に対するタッチ操作を受け付ける操作可能領域として上記拡張機能実行装置が特定する領域特定ステップと、上記タッチパネルが検出した位置情報に基づいて、タッチ操作された位置が上記操作可能領域上であるか否かを上記拡張機能実行装置が判定する入力判定ステップと、を含む。
【発明の効果】
【００２０】
本発明の一態様によれば、テレビ機能と拡張機能とを利用するための操作性に優れたインタフェースを備えた放送受信装置が実現できるという効果を奏する。
【図面の簡単な説明】
【００２１】
【図１】実施形態１に係るデジタルテレビの要部構成を示す機能ブロック図である。
【図２】デジタルテレビのハードウェア構成を示すブロック図である。
【図３】出力制御部が行う映像信号処理の一例を示す図である。
【図４】（ａ）〜（ｃ）は、表示モード情報の一具体例を示す図である。
【図５】（ａ）〜（ｃ）は、表示モードが混在表示モードのときの画面情報の具体例のいくつかを示す図である。
【図６】（ａ）〜（ｄ）は、表示部に表示される画面の具体例と、操作可能領域補正部によって補正されるタッチ操作可能領域の例とを示す図である。
【図７】実施形態１に係るデジタルテレビの処理の流れを示すフローチャートである。
【図８】実施形態２に係るデジタルテレビの要部構成を示す機能ブロック図である。
【図９】代替ＵＩ保管庫のデータ構造の一例を示す図である。
【図１０】（ａ）は、表示部に表示される画面の具体例と、イベント発生に伴う画面遷移の例とを示す遷移図であり、（ｂ）は、表示部に表示される画面のうち、代替ＵＩが合成されたテレビ画面の他の具体例を示す図である。
【図１１】実施形態２に係るデジタルテレビの処理の流れを示すフローチャートである。
【図１２】代替ＵＩ保管庫のデータ構造の他の例を示す図である。
【図１３】変形例における代替ＵＩ指図書のデータ構造を示す図である。
【発明を実施するための形態】
【００２２】
以下で説明する実施形態では、一例として、本発明の放送受信装置として、タッチ操作を行うユースケースで、それに適したサイズのデジタルテレビが想定されている。また、テレビ機能を有し、タッチパネルを備えている各種情報処理装置（電子黒板、タブレット端末、デスクトップパソコン、ノートパソコン、ゲーム機など）に、本発明を適用することもできる。
【００２３】
なお、以下の図面において同一または相当する部分には、同一の参照符号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【００２４】
≪実施形態１≫
本発明の一実施形態について、図１〜図７に基づいて説明すると以下の通りである。
【００２５】
従来のテレビ放送を処理する制御部と、拡張機能を実現する制御部とを備えたスマートテレビにおいて、後者の制御部を、タッチパネルを介して操作する場合、スマートテレビを以下のように構成することが考えられる。すなわち、スマートテレビは、両方の制御部が処理した情報の表示制御を前者の制御部が担い、タッチパネルに対する入力制御を後者の制御部が担うように構成される。
【００２６】
上記構成において、後者の制御部が生成した拡張機能実行画面を、タッチパネルに重畳された表示部に表示する場合、上記表示部に表示されている情報のレイアウト（画面情報）は、前者の制御部において管理される一方、タッチ操作が可能なオブジェクトの形状および表示位置などを示す操作可能領域マップは、後者の制御部において管理される。上記画面情報と、上記操作可能領域マップとは、通常対応している。
【００２７】
しかしながら、上記構成のように、後者の制御部による制御と無関係に、前者の制御部が表示制御を行うと、後者の制御部が把握している操作可能領域マップと、前者の制御部が保持する最新の画面情報との間に齟齬が生じる虞がある。このような齟齬が生じると、ユーザが表示部に表示されている標的のオブジェクトをタッチしても、そのタッチ位置と当該オブジェクトの操作可能領域とがずれているため、後者の制御部は、上記オブジェクトがタッチされたということを正確に把握できない。結果として、スマートテレビがユーザのタッチ操作に応じて正確に動作できないという問題が起こる。
【００２８】
本実施形態では、上記の齟齬が生じることを防止し、テレビ機能と拡張機能とを利用するための操作性に優れたインタフェースについて、その正確性を維持することが可能な放送受信装置について説明する。
【００２９】
〔ハードウェア構成〕
図２は、デジタルテレビ（放送受信装置）１０のハードウェア構成を示すブロック図である。
【００３０】
図２に示すとおり、デジタルテレビ１０は、拡張機能実行装置１、テレビ信号処理装置２、チューナ部３、タッチパネル４、表示部５、ＤＡＣ６、スピーカ７、コネクタ８、および、入力部９を備えている。
【００３１】
タッチパネル４上で検出されたタッチ操作に係る入力信号は、拡張機能実行装置１によって取得され、拡張機能実行装置１においてその入力信号に応じた処理が実行される。拡張機能実行装置１が拡張機能を実行した結果として出力した拡張機能実行画面は、情報の表示制御を担うテレビ信号処理装置２に供給される。
【００３２】
一方、テレビ信号処理装置２は、チューナ部３から受信されるテレビジョン放送信号を処理して得られた映像信号を含むテレビ画面を生成する機能を有する。テレビ信号処理装置２は、入力部９（例えば、リモコンまたはデジタルテレビ１０の筐体に設けられたボタンなど）を介して入力されたユーザからの指示にしたがって、テレビ画面を生成したり、更新したりしてもよい。
【００３３】
最終的に、テレビ信号処理装置２は、自身が生成したテレビ画面、および、拡張機能実行装置１から供給された拡張機能実行画面の少なくともいずれか一方を表示部５に出力することが可能である。具体的には、テレビ信号処理装置２は、テレビ画面を表示部５に全画面表示してもよいし、拡張機能実行画面を全画面表示してもよいし、テレビ画面と、拡張機能実行画面とを適切な大きさ、適切な位置に配置し、合成して、２つの画面を混在表示してもよい。また、テレビ信号処理装置２は、これらの画面のレイアウトの変更を、入力部９からのユーザ指示にしたがって行う機能を有する。
【００３４】
なお、テレビ信号処理装置２は、タッチパネル４を備えているが、入力制御を行う機能を備えない。代わりに、タッチパネル４の入力制御を行う拡張機能実行装置１から、タッチ位置に係る座標情報を通知してもらい、それに応じて所定の処理を実行する構成であってもよい。すなわち、テレビ信号処理装置２は、少なくとも、入力部９からのユーザ指示にしたがって動作する構成である。そして、場合によって、拡張機能実行装置１から通知された座標情報にしたがって動作してもよい。
【００３５】
コネクタ８を介してテレビ信号処理装置２と接続されている拡張機能実行装置１は、タッチパネル４の入力制御を行う機能と、デジタルテレビ１０に付与される拡張機能（アプリケーション）と、アプリケーションの実行結果をテレビ信号処理装置２に伝達する機能とを備える構成である。
【００３６】
拡張機能実行装置１は、デジタルテレビ１０の拡張機能を実現するものであり、例えば、拡張機能用のＯＳプログラム、および、アプリケーションプログラムなどの各種プログラムを実行するためのＣＰＵと、記憶部とを含んでいる。さらに、拡張機能実行装置１は、ＬＡＮ（Local Area Network）などのネットワークに無線または有線で接続し、インターネットを介して外部装置と通信する通信部を含む。好ましくは、拡張機能実行装置１は、上記のＣＰＵ、記憶部、通信部、および、その他必要な各種回路をＳｏＣ（System-on-a-chip）で１つのチップに実装したものとして実現される。
【００３７】
テレビ信号処理装置２は、デジタルテレビ１０のテレビ機能を実現するものである。具体的には、チューナ部３を制御して放送信号を受信して、表示部５に出力するための映像信号およびスピーカ７に出力する音声信号を処理する。
【００３８】
テレビ信号処理装置２は、テレビ機能用のＯＳプログラム等の各種プログラムを実行するためのＣＰＵと、記憶部とを含んでおり、さらに、上述の信号処理に必要な各種回路、すなわち、ストリーム分離部２１、ＨＤＭＩ分離部２２、ビデオデコーダ部２３、グラフィックス処理部２４、オーディオデコーダ部２５、スケーリング部２６、スケーリング部２７、ブレンド部２８、および、ミキシング部２９を含む。一例として、テレビ信号処理装置２は、上記のＣＰＵ、記憶部、および、各種回路をＳｏＣで１つのチップに実装したものとして実現される。
【００３９】
チューナ部３は、選局を実施し、デジタル放送波から予め指定されたチャンネルのストリームを抽出する。チューナ部３は、テレビ信号処理装置２と１つの基板上に実装されてもよいし、あるいは、テレビ信号処理装置２とは別の基板に実装されて、テレビ信号処理装置２との間で無線通信を行う構成でもよい。
【００４０】
タッチパネル４は、ユーザがデジタルテレビ１０に対して指示を入力するためのものである。タッチパネル４は、指示体（指またはペンなど）の接触（接近）を受け付けるタッチ面と、指示体とタッチ面との間の接触／非接触（接近／非接近）、および、その接触（接近）位置を検知するためのタッチセンサとで構成されている。タッチセンサは、指示体とタッチ面との接触／非接触を検知できればどのようなセンサで実現されていてもかまわない。例えば、圧力センサ、静電容量センサ、光センサなどで実現される。
【００４１】
表示部５は、拡張機能実行装置１が処理した映像信号、テレビ信号処理装置２が処理した映像信号、または、その両方を表示するものである。例えば、表示部５は、ＬＣＤ（液晶ディスプレイ）などの表示装置で実現される。
【００４２】
本実施形態では、タッチパネル４と表示部５とは一体に形成されている。そして、タッチパネル４は、コネクタ８を介して拡張機能実行装置１に結線され、タッチパネル４が操作されることで検知された接触位置等の信号は、拡張機能実行装置１に伝達される。すなわち、タッチパネル４からの入力は、拡張機能実行装置１によって実行される。一方、表示部５への出力は、テレビ信号処理装置２の出力部（スケーリング部２６、スケーリング部２７およびブレンド部２８）によって実行される。
【００４３】
ＤＡＣ（Digital-Analog Converter）６は、音声信号についてデジタル信号をアナログ信号に変更するものである。
【００４４】
スピーカ７は、ＤＡＣ６によって変換されたアナログ信号を音声として出力するものである。
【００４５】
コネクタ８は、テレビ信号処理装置２、チューナ部３、タッチパネル４、表示部５、ＤＡＣ６およびスピーカ７が設けられたデジタルテレビ１０の筐体に、拡張機能実行装置１を着脱可能に接続するためのものである。デジタルテレビ１０の筐体と拡張機能実行装置１とがコネクタ８を介して接続されることにより、テレビ信号処理装置２と拡張機能実行装置１とが通信可能となり、本発明の放送受信装置としてのデジタルテレビ１０が構成される。なお、拡張機能実行装置１を着脱可能に設ける必要がない場合には、拡張機能実行装置１は、上述の他の各部と同様にデジタルテレビ１０の筐体に設けられていればよく、この場合、コネクタ８を必要としない。
【００４６】
しかし、コネクタ８によって拡張機能実行装置１を着脱可能な構成とすることにより、性能の異なる拡張機能実行装置１に容易に差し替えることができる。すなわち、デジタルテレビ１０の拡張機能を、デジタルテレビ１０を買い替えることなく、簡単に強化することができる。拡張機能を、デジタルテレビ１０にあらかじめ組み込まれたソフトウェアで実現した場合、この拡張機能を強化するためには、デジタルテレビ１０そのものを買い替える必要がある。しかしながら、一般に、買い替えサイクルが長いデジタルテレビを、技術の進歩が目覚ましく頻繁に改良が起こる拡張機能の買い替えサイクルに合わせて、買い替えていくことはコストの観点から非現実的であり、実情にそぐわない。よって、コネクタ８によって拡張機能実行装置１を着脱可能に設けることは、コスト面で大きなメリットがある。
【００４７】
上述したとおり、本実施形態に係るデジタルテレビ１０は、拡張機能実行装置１とテレビ信号処理装置２とが通信可能に接続されている。そして、拡張機能実行装置１とテレビ信号処理装置２との間で、さまざまな信号が必要に応じて送受信される。
【００４８】
第１に、拡張機能実行装置１によって処理された映像信号および音声信号の少なくとも１つは、コネクタ８およびＨＤＭＩ（High Definition Multimedia Interface）を介してテレビ信号処理装置２に伝達される。なお、拡張機能実行装置１によって処理されたタッチ位置を示す情報を、タッチ操作情報ｄ３とし、図１において示している。拡張機能実行装置１からテレビ信号処理装置２に伝達されると、このタッチ操作情報ｄ３に基づいて、テレビ信号処理装置２の表示モードが決定される。
拡張機能実行装置１は、タッチパネル４を介して入力されたユーザの指示にしたがって処理を実行し、その実行結果を反映した拡張機能実行画面をテレビ信号処理装置２に伝達する。
【００４９】
本実施形態では、テレビ信号処理装置２は、ＨＤＭＩを介して拡張機能実行装置１から出力された映像信号（拡張機能実行画面）および音声信号を、自装置にて処理した映像信号および音声信号と合成して出力する機能を有する。信号処理は、後述するように、各種回路によって実行される。
【００５０】
第２に、２種類の画面（拡張機能実行装置１が生成した拡張機能実行画面の映像信号、および、テレビ信号処理装置２が生成したテレビ画面の映像信号）をどのようなレイアウトで出力するのかを示す情報、すなわち、表示モードが、テレビ信号処理装置２から拡張機能実行装置１に伝達される。テレビ信号処理装置２は、入力部９を介してユーザが選択した表示モードにしたがって、上記２種類の画面の少なくともいずれか１つを表示部５に表示する。表示モードは、例えば、テレビ画面を表示部５の全画面に表示するテレビ画面全表示モード、拡張機能実行画面を全画面に表示する拡張機能実行画面全表示モード、および、テレビ画面と拡張機能実行画面とを混在表示する混在表示モードの３パターンがある。テレビ信号処理装置２は、表示モードを変更したときに、変更後の表示モードを拡張機能実行装置１に通知する。
【００５１】
上記表示モードの送受信は、ＣＰＵ間通信によって行われる。該ＣＰＵ間通信は、これには限定されないが、例えば、ＴＣＰ／ＩＰ（Transmission Control Protocol/Internet Protocol）、ＣＥＣ（Consumer Electronics Control）、または、ＵＡＲＴ（Universal Asynchronous Receiver Transmitter）およびＵＳＢ（Universal Serial Bus）等のシリアルバスによって実現される。表示モードを示す情報は、表示モードｄ２として図１に示されている。
【００５２】
第３に、拡張機能実行装置１は、表示部５の拡張機能実行画面が表示されている以外の領域に対するタッチ操作を検知した場合には、必要に応じて、そのタッチ操作のタッチ位置をテレビ信号処理装置２に伝達してもよい。上記タッチ位置を示す情報は、タッチ操作情報ｄ３に含まれているものとして図１に示されている。
【００５３】
テレビ信号処理装置２における、上記信号処理、すなわち、表示部５への映像出力は、より詳細には以下のようにして実現される。
【００５４】
ストリーム分離部２１は、チューナ部３から抽出されたトランスポートストリーム（ＴＳ）を、映像信号、音声信号、および、データ信号（字幕情報、または、ＢＭＬ（Broadcast Markup Language）情報など）へとストリーム分離（ＤＥＭＵＸ）する。ビデオデコーダ部２３は、分離された映像信号をデコードする。グラフィックス処理部２４は、分離されたデータ信号をグラフィックに変換する。オーディオデコーダ部２５は、分離された音声信号をデコードされる。スケーリング部２７は、指定された表示モードに合わせて映像信号のサイズ調節を実施する。スケーリングされた映像信号と、グラフィックス処理部２４によって変換されたグラフィックは、ブレンド部２８に供給される。オーディオデコーダ部２５によってデコードされた音声信号は、ミキシング部２９に供給される。以上のように、テレビ信号処理装置２の系統の信号は処理されて、テレビ画面が生成される。
【００５５】
一方、拡張機能実行装置１から出力された映像信号および音声信号を含むＨＤＭＩ信号は、まず、ＨＤＭＩ分離部２２によって受け付けられる。ＨＤＭＩ分離部２２は、ＨＤＭＩ信号を映像信号と音声信号とに分離する。スケーリング部２６は、指定された表示モードに合わせて映像信号のサイズ調節を実施する。スケーリングされた映像信号は、ブレンド部２８に供給される。分離された音声信号は、ミキシング部２９に供給される。以上のように、拡張機能実行装置１の系統の信号、すなわち、拡張機能実行画面は処理される。
【００５６】
最後に、ブレンド部２８は、指定された表示モードに応じて２種類の画面を配置して合成を行う。入力部９を介してユーザから指定された表示モードを、図２において図示しないテレビ信号処理装置２のＣＰＵが受け付けて、その表示モードにしたがって出力部（スケーリング部２６、スケーリング部２７およびブレンド部２８）を制御する。これにより、指定された表示モードにしたがって画面が配置され表示部５に表示される。
【００５７】
ミキシング部２９は、オーディオデコーダ部２５によってデコードされた音声信号、または、ＨＤＭＩ分離部２２によって分離された音声信号を、選択出力する。いずれを選択するのかについては、指定された表示モードに応じて、テレビ信号処理装置２が適宜判断すればよい。
【００５８】
本実施形態では、拡張機能実行装置１は、テレビ信号処理装置２が実施中の表示モードを、テレビ信号処理装置２からの通知によって知り得る。テレビ信号処理装置２は、入力部９からのユーザ指示にしたがって表示モードを変更した場合に、最新の表示モードを拡張機能実行装置１に通知する。
【００５９】
以上のとおり、本発明のデジタルテレビ１０の構成によれば、デジタルテレビ１０の表示部５に、テレビ信号処理装置２に処理した従来のテレビ放送の画面（以下、テレビ画面）と拡張機能実行装置１が処理した拡張機能の実行結果を表示する画面（以下、拡張機能実行画面）とを混在して表示させることが可能となる。そして、特に、拡張機能実行画面に対する入力を、表示部５と一体に形成されたタッチパネル４を用いて実現することにより、スマートフォンまたはタブレットなどと同等に、直感的かつ恣意的操作がデジタルテレビ１０上で可能となる。さらに、テレビ信号処理装置２において、表示モードが変更されることがあっても、テレビ信号処理装置２からの通知によって、拡張機能実行装置１は、常に、自身が作成した拡張機能実行画面の表示位置を把握することができる。そのため、拡張機能実行画面上のどこがタッチ操作されたのかを正確に検知し、それにしたがって、正確に動作することが可能となる。
【００６０】
結果として、表示モードの変更がテレビ信号処理装置２において行われても、一体感のあるユーザインターフェースについて、その正確性が維持される。その上、拡張機能実行装置１がタッチパネル４の入力制御を行う構成とすることにより、テレビ機能に係るテレビ信号処理装置２の処理負荷を増大させることなく、タッチパネル４を用いたユーザインターフェースを実現することができる。
【００６１】
〔デジタルテレビの機能〕
図１は、デジタルテレビ１０（放送受信装置）の要部構成を示す機能ブロック図である。より詳細には、図１には、拡張機能実行装置１の要部構成、および、テレビ信号処理装置２の要部構成がそれぞれ示されている。
【００６２】
（拡張機能実行装置１）
図１に示すとおり、拡張機能実行装置１は、拡張機能制御部４０、通信部３１および記憶部５０を含む。
【００６３】
通信部３１は、ネットワークを介して外部装置との間で情報を送受信するものである。例えば、あるウェブサイトを運営している会社の情報提供サーバがインターネットに接続されているとする。この場合、通信部３１は、インターネットを介して、上記情報提供サーバにアクセスして、ユーザが指定したページをダウンロードしてもよい。
【００６４】
記憶部５０は、拡張機能実行装置１が使用する各種データを格納する記憶装置である。本実施形態では、記憶部５０は、少なくとも、表示モード情報５１および画面情報５２を記憶している。なお、図示しないが、記憶部５０は、拡張機能制御部４０が実行する（１）制御プログラム、（２）ＯＳプログラム、（３）拡張機能制御部４０が実行する各種拡張機能に対応するアプリケーションプログラム、および、（４）該アプリケーションプログラムを実行するときに読み出す各種データを記憶している。
【００６５】
拡張機能制御部４０は、拡張機能実行装置１の機能を統括して制御するものである。拡張機能制御部４０は、機能ブロックとして、入力判定部（入力判定手段）４１と、操作可能領域補正部（領域特定手段）４２と、拡張機能実行部４３とを含む。拡張機能実行部４３は、ブラウザアプリケーション４４ａ、および、コントローラアプリケーション４４ｂなどに代表される少なくとも１つの拡張機能部４４と、表示指示部４５とを含む。
【００６６】
上述した拡張機能制御部４０の各機能ブロックは、例えば、ＣＰＵ（central processing unit）などが、ＲＯＭ（read only memory）、ＮＶＲＡＭ（non-Volatile random access memory）等で実現された記憶装置（記憶部５０）に記憶されているプログラムを不図示のＲＡＭ（random access memory）等に読み出して実行することで実現できる。
【００６７】
入力判定部４１は、タッチパネル４に対するタッチ操作によって生じた入力信号を処理して、どのようなタッチ操作が行われたのかを判定する（どのようなタッチ操作が行われたのかを示すタッチ操作情報を生成する）ものである。具体的には、入力判定部４１は、タッチパネル４からの検出信号に基づいて、指示体のタッチ位置を特定し、拡張機能実行画面のどの位置が操作されたのかを判定する。入力判定部４１は、タッチ位置が拡張機能実行画面上にある場合に、上記タッチ位置の座標情報を含むタッチ操作情報を、拡張機能部４４のいずれかに供給する。入力判定部４１は、複数の拡張機能部４４のうち、実行中のアプリケーションに上記タッチ操作情報を供給すればよい。
【００６８】
なお、本実施形態では、入力判定部４１は、拡張機能実行画面以外の領域（テレビ画面の領域など）上にタッチ位置があると判定した場合には、タッチ位置の座標情報を含むタッチ操作情報を拡張機能部４４に伝達せず、表示指示部４５にそのまま伝達してもよい。この場合、表示指示部４５は、タッチ操作情報ｄ３をテレビ信号処理装置２に通知することができる。
【００６９】
入力判定部４１は、タッチ位置が拡張機能実行画面上にあるか否かを、画面情報５２を参照することにより判定することができる。画面情報５２は、表示部５に出力されている最新の画面レイアウトを示す情報である。本実施形態では、画面情報５２は、拡張機能実行画面の表示領域の位置情報を、タッチ操作が可能な操作可能領域の位置情報として含む。操作可能領域の具体例について、別図を参照して後述する。
【００７０】
拡張機能実行画面が表示部５上に全画面表示されていない場合には、表示部５（タッチパネル４）における座標系と、拡張機能実行画面における座標系とが一致しない。この場合、入力判定部４１は、検出されたタッチ位置の座標情報を、拡張機能実行画面の座標系における座標情報に変換して、拡張機能部４４に供給する。これにより、拡張機能部４４の各々は、自身が生成した画面上のどこがタッチされたのかを正確に理解でき、そのタッチ操作に応じた処理を正しく実行することができる。
【００７１】
さらに、入力判定部４１は、タッチ位置の点の集合（指示体の移動の軌跡）を時系列で取得し、タッチ操作の種別を判定してもよい。タッチ操作の種別としては、シングルタップ（以下、タップ）、ダブルタップ、フリック、ドラッグアンドドロップ、ピンチイン、ピンチアウトなどの例があるがこれに限らない。判定されたタッチ操作の種別は、座標情報とともにタッチ操作情報として、拡張機能部４４または表示指示部４５に供給される。
【００７２】
操作可能領域補正部４２は、テレビ信号処理装置２から伝達される表示モードにしたがって、タッチパネル４におけるタッチ操作可能な領域を補正するものである。本実施形態では、表示部５において拡張機能実行画面が表示されている領域が、タッチ操作可能な領域である。したがって、具体的には、操作可能領域補正部４２は、拡張機能実行画面の最新の位置を表す画面情報５２を、テレビ信号処理装置２から通知された表示モードにしたがって更新する。これにより、入力判定部４１は、常に、表示部５の最新の画面レイアウトにしたがって、タッチ位置の判定を正確に実施することが可能となる。
【００７３】
拡張機能実行部４３は、拡張機能実行装置１に搭載されている１以上の拡張機能部４４に所定の処理を実行させて、その処理の実行結果を表示指示部４５に出力させるものである。拡張機能実行部４３は、入力判定部４１が出力するタッチ操作情報に応じた処理を実行する。
【００７４】
より詳細には、拡張機能実行部４３は、１以上の拡張機能部４４と、表示指示部４５とを含む。
【００７５】
拡張機能部４４は、拡張機能実行装置１が有する各種拡張機能を実現するものである。拡張機能部４４の具体例として、ここでは、ブラウザアプリケーション４４ａ、コントローラアプリケーション４４ｂを挙げて説明したがこれに限定されない。
【００７６】
ブラウザアプリケーション４４ａは、ＨＴＭＬ（HyperText Markup Language）などで記述された構造化文書を処理して、文字および画像が適切に配置されたウェブサイト画面を構築し、ユーザが閲覧できる状態にして提供するものである。ここでは、上記ウェブサイト画面が、拡張機能実行画面に相当する。
【００７７】
ブラウザアプリケーション４４ａは、ユーザによって指定されたＵＲＬ（Uniform Resource Locator）が示す格納場所（上述の情報提供サーバなど）に対して通信部３１を介してアクセスし、当該格納場所からダウンロードしたＨＴＭＬ文書に基づいてウェブサイト画面を生成する。ブラウザアプリケーション４４ａが生成したウェブサイト画面の映像信号は、表示指示部４５によって、拡張機能実行画面ｄ１として、ＨＤＭＩ経由でテレビ信号処理装置２に供給される。
【００７８】
ブラウザアプリケーション４４ａは、入力判定部４１からタッチ操作情報を取得すると、タッチ操作情報に基づいて、自身が生成したウェブサイト画面のどこがどのようにタッチ操作されたのかを理解する。そして、当該タッチ操作にしたがって所定の処理を実行し、新たな画面を生成する。例えば、ウェブサイト画面上の、リンクが付与されたオブジェクト（画像または文字列）がタップされた場合には、ブラウザアプリケーション４４ａは、上記リンク先のＨＴＭＬ文書をダウンロードして、これに基づき新たなウェブサイト画面を生成する。
【００７９】
コントローラアプリケーション４４ｂは、従来の赤外線テレビリモコンをソフトウェアキーで実現し、ユーザに提供するものである。コントローラアプリケーション４４ｂは、テレビリモコンを仮想化したソフトウェアキーを配置した画面を拡張機能実行画面として生成する。生成された拡張機能実行画面は、テレビ信号処理装置２によって、表示部５に出力される。
【００８０】
医療施設、介護施設、または宿泊施設など、不特定多数のユーザが１台のデジタルテレビ１０を利用するようなユースシーン、あるいは、施設の個室に設置されたデジタルテレビ１０など、ユーザが時期によって次々に入れ替わるユースシーンでは、デジタルテレビ１０の筐体と別に小型の機器（リモコン）が設けられることは紛失などの可能性が高まり不都合がある。そのため、テレビ画面とともに、仮想のコントローラを拡張機能実行画面上で提供することは、そうした不都合を解消できるため有効である。また、スマートフォンなどのタッチパネル操作に慣れていないユーザにとっては、仮想のテレビコントローラによって、従来のリモコン操作と同じように、デジタルテレビ１０を操作できることは有効である。
【００８１】
上述の１以上の拡張機能部４４は、記憶部５０に記憶されているアプリケーションプログラムが読み出されることにより実現される。拡張機能部４４は、通信部３１を介してアプリケーションプログラムがダウンロードされるなどして、新たに追加されてもよい（アプリケーションＸ、アプリケーションＹ、・・・など）。
【００８２】
表示指示部４５は、テレビ信号処理装置２の表示機能に係る指示を伝達するものである。表示指示部４５は、各アプリケーション（拡張機能部４４）によって、拡張機能実行画面が生成された場合には、当該画面（の映像信号）をＨＤＭＩを介してテレビ信号処理装置２に出力する。図１の例では、ＨＤＭＩを介して映像信号を出力しているが、表示指示部４５は、各アプリケーションが音声信号を処理した場合には、必要に応じて、音声信号をＨＤＭＩを介してテレビ信号処理装置２に出力してもよい。
【００８３】
さらに、表示指示部４５は、入力判定部４１から、タッチ操作の種別およびタッチ位置の座標情報を直接受け取った場合には、必要に応じて、上記種別および座標情報を含むタッチ操作情報ｄ３をＣＰＵ間通信にて、テレビ信号処理装置２に供給してもよい。
【００８４】
（テレビ信号処理装置２）
図１に示すとおり、テレビ信号処理装置２は、テレビ信号処理制御部６０および記憶部７０を含む構成であり、タッチパネル４、表示部５、および、入力部９と電気的に、または、通信可能に接続されている。
【００８５】
記憶部７０は、テレビ信号処理装置２が使用する各種データを格納する記憶装置である。本実施形態では、記憶部７０は、少なくとも、表示モード情報７１を記憶している。なお、図示しないが、記憶部７０は、テレビ信号処理制御部６０が実行する（１）制御プログラム、（２）ＯＳプログラム、（３）テレビ信号処理制御部６０が実行する各種テレビ機能に対応するアプリケーションプログラム、および、（４）該アプリケーションプログラムを実行するときに読み出す各種データを記憶している。
【００８６】
テレビ信号処理制御部６０は、テレビ信号処理装置２の機能を統括して制御するものである。テレビ信号処理制御部６０は、機能ブロックとして、指示解析部６１、テレビ画面生成部（画面合成手段）６２、出力制御部（出力制御手段）６３、および、表示モード通知部（通知手段）６４を含む。上述したテレビ信号処理制御部６０の各機能ブロックは、例えば、ＣＰＵ（central processing unit）などが、ＲＯＭ（read only memory）、ＮＶＲＡＭ（non-Volatile random access memory）等で実現された記憶装置（記憶部７０）に記憶されているプログラムを不図示のＲＡＭ（random access memory）等に読み出して実行することで実現できる。
【００８７】
指示解析部６１は、拡張機能実行装置１から入力されたタッチ操作情報ｄ３を解析して、解析した指示の内容を、その指示に関わる各部に伝達するものである。また、指示解析部６１は、リモコンなどの入力部９から入力されたユーザからの指示を解析して、テレビ画面を生成したり、更新したりするための指示をテレビ画面生成部６２へ出力する。本実施形態では、例えば、入力部９を介して、別の表示モードに変更する指示を受信した場合には、指示解析部６１は、指定された表示モードを出力制御部６３に供給する。
【００８８】
テレビ画面生成部６２は、チューナ部３を介して受信されたテレビジョン放送信号を処理して、テレビ画面を生成するものである。具体的には、テレビ画面生成部６２は、図２に示された映像に係る信号処理のための各種回路（ストリーム分離部２１、ビデオデコーダ部２３、および、グラフィックス処理部２４）を制御して、上記機能を実現する。テレビ画面生成部６２は、グラフィックス処理部２４を制御して、ＯＳＤ画像を生成し、上記放送信号によって得られた映像に重畳させる機能も有する。よって、テレビ画面は、ビデオデコーダ部２３によって放送信号から抽出された映像のみから構成されてもよいし、上記映像とグラフィックス処理部２４によって生成されたＯＳＤ画像とを含んでいてもよい。テレビ画面生成部６２によって生成されたテレビ画面（映像信号）は、出力制御部６３が制御するスケーリング部２７およびブレンド部２８に供給される。
【００８９】
出力制御部６３は、各部から出力された画面に係る映像信号を処理して表示部５に出力するものである。具体的には、テレビ信号処理装置２の出力部、すなわち、スケーリング部２６、スケーリング部２７、および、ブレンド部２８を制御して、画面の拡縮、合成および表示部５への出力を実現する。
【００９０】
表示モード通知部６４は、出力制御部６３が表示モードを変更した場合に、変更後の表示モードを拡張機能実行装置１に対して通知するものである。具体的には、表示モード通知部６４は、表示部５に出力された最新の画面情報に対応する表示モードｄ２を拡張機能実行装置１に対して通知する。
【００９１】
図３は、出力制御部６３が行う映像信号処理の一例を示す図である。例えば、スケーリング部２７には、テレビ画面生成部６２の制御下でビデオデコーダ部２３が処理した、放送番組のテレビ画面Ｂの映像信号が入力されたとする。一方、スケーリング部２６には、拡張機能実行装置１から供給された拡張機能実行画面Ａの映像信号が入力されたとする。そして、入力部９から、混在表示モードが指定されたとする。
【００９２】
この場合、出力制御部６３は、拡張機能実行画面Ａとテレビ画面Ｂとを混在表示させるために、スケーリング部２７を制御して、テレビ画面Ｂが、混在表示用にあらかじめ定められたテレビ画面の領域に収まるように、必要な縮小処理を実行する。出力制御部６３は、必要に応じて、スケーリング部２６を制御して、拡張機能実行画面Ａが所定の領域に収まるように縮小してもよい。そして、出力制御部６３は、ブレンド部２８を制御して、拡縮処理後のテレビ画面Ｂおよび拡張機能実行画面Ａを合成し、混在表示モードにしたがって混在画面を作成する。表示モードが変更された場合には、表示モード通知部６４は、変更後の表示モードを拡張機能実行装置１に通知する。
【００９３】
〔表示モード情報〕
本実施形態では、３種類の表示モード、すなわち、拡張機能実行画面全表示モード（拡張機能実行画面表示モード）、テレビ画面全表示モード（テレビ画面表示モード）および混在表示モードにおいて、それぞれ、拡張機能実行画面およびテレビ画面をそれぞれどのようなサイズでどの位置に配置するのかについては、あらかじめ定義されているものとする。この表示モードの情報は、表示モード情報７１として、記憶部７０に記憶されており、出力制御部６３によって参照される。本実施形態では、拡張機能実行装置１の拡張機能制御部４０と、テレビ信号処理制御部６０とは、シリアルバスを介して通信し、共通の表示モード情報を、それぞれ表示モード情報５１および表示モード情報７１として記憶部５０および記憶部７０に記憶しておく構成である。このため、テレビ信号処理装置２が実施中の表示モードを、拡張機能実行装置１が把握できれば、テレビ信号処理装置２が実際に表示部５に表示した画面のレイアウトと、拡張機能実行装置１が把握している画面情報５２との間に齟齬が生じない。
【００９４】
図４の（ａ）〜（ｃ）は、表示モード情報５１および表示モード情報７１の一具体例を示す図である。
【００９５】
図４の（ａ）は、拡張機能実行画面全表示モードの時の拡張機能実行画面のレイアウトを定義した表示モード情報を示す。図４の（ｂ）は、テレビ画面全表示モードの時のテレビ画面のレイアウトを定義した表示モード情報を示す。図４の（ｃ）は、混在表示モードの時の、拡張機能実行画面およびテレビ画面のレイアウトを定義した表示モード情報を示す。混在表示モードの表示モード情報には、拡張機能実行画面とテレビ画面との境界位置Ｌ１を定義する情報が、少なくとも含まれる。
【００９６】
表示モード情報５１および表示モード情報７１の例は、図４の（ａ）〜（ｃ）の３つに限定されない。特に、混在表示モードには、さらに、複数パターン定義されていてもよい。例えば、境界位置Ｌ１が異なる位置にあるパターン、境界位置Ｌ１が表示部５の表示画面を上下に分割する位置にあるパターン、拡張機能実行画面がテレビ画面の右下に重畳されるパターンなどがあってもよい。
【００９７】
各々の表示モードには、例えば、ユニークな識別子が付与されており、テレビ信号処理装置２は、１つの表示モードを指す識別子を拡張機能実行装置１に伝達することにより、実施中の表示モードを拡張機能実行装置１に対して通知することができる。
【００９８】
テレビ信号処理装置２（および、拡張機能実行装置１）に学習させる表示モードを、ユーザが、設定したり、編集したりできる構成であってもよい。例えば、テレビ信号処理装置２は、表示モードを設定するための入力画面を表示部５に表示して、入力部９を介して境界位置Ｌ１の位置をユーザに任意に選択させてもよい。ユーザが選択した境界位置Ｌ１の情報は、テレビ信号処理制御部６０によって受け付けられて、表示モード情報７１に追加されるとともに、拡張機能実行装置１にもＣＰＵ間通信を介して伝達される。拡張機能制御部４０は、受信した境界位置Ｌ１の情報を、表示モード情報５１に追加する。このように、ユーザは、１回の設定で、表示モード情報を、拡張機能実行装置１とテレビ信号処理装置２とのそれぞれに学習させることができる。
【００９９】
〔画面情報〕
図５の（ａ）〜（ｃ）は、表示モードが混在表示モードのときの画面情報５２の具体例のいくつかを示す図である。
【０１００】
画面情報５２は、テレビ信号処理装置２が表示部５に表示している画面のレイアウトを示す情報である。画面情報５２は、少なくとも、表示部５に出力されている最新のレイアウト情報を含む。最新のレイアウト情報を含む画面情報５２は、入力判定部４１によって、主に、拡張機能実行画面がタッチされたか否かを判定するために参照される。
【０１０１】
操作可能領域補正部４２は、テレビ信号処理装置２から通知された表示モードに基づいて、表示部５に表示されている最新のレイアウト情報を画面情報５２として記憶部５０に保存する。
【０１０２】
画面情報５２は、特に限定されないが、図５の（ａ）、（ｂ）および（ｃ）のいずれのデータ構造で構成されてもよい。図５の（ａ）に示す例では、画面情報５２は、現在表示されている拡張機能実行画面およびテレビ画面それぞれの位置情報を含んでいる。この最新の画面情報５２を参照することにより、入力判定部４１は、検知されたタッチ位置の座標に基づいて、テレビ画面および拡張機能実行画面のいずれの領域が操作されたのかを判定することができる。
【０１０３】
図５の（ｂ）に示す例では、現在表示されている拡張機能実行画面およびテレビ画面のそれぞれの位置をカバーする疑似オブジェクトを画面情報５２に定義している。入力判定部４１は、検知されたタッチ位置の座標が、オブジェクト１およびオブジェクト２のいずれに含まれるのかに応じて、テレビ画面および拡張機能実行画面のいずれの領域が操作されたのかを判定することができる。図５の（ｂ）に示す例では、オブジェクト１がタッチされると拡張機能実行画面が操作されたと判定し、オブジェクト２がタッチされるとテレビ画面が操作されたと判定する。
【０１０４】
図５の（ｃ）に示す例では、画面情報５２は、実行中のアプリケーションが拡張機能実行画面上に配置した、タッチ操作可能なオブジェクトごとに位置情報を保持している。図５の（ｃ）に示す最新の画面情報５２を参照することにより、入力判定部４１は、いずれの領域が操作されたのかを判定することができるとともに、拡張機能実行画面上に配置されているどのオブジェクトがタッチされたのかも判定することができる。
【０１０５】
本実施形態では、拡張機能実行装置１は、テレビ画面上がタッチされても、そのタッチ操作に対応して実質的には処理を実行しない。
【０１０６】
操作可能領域とは、その領域がタッチされた場合に、そのタッチ操作に対応して拡張機能実行装置１の拡張機能部４４のいずれかが実質的な処理を実行する領域を意味する。よって、本実施形態では、拡張機能実行装置１において、拡張機能実行画面の表示領域に一致して、タッチ操作可能領域が把握されなければならない。
【０１０７】
そこで、操作可能領域補正部４２は、テレビ信号処理装置２から通知された表示モードに基づいて、画面情報５２のうち、拡張機能実行画面の表示領域、すなわち、タッチ操作可能領域を補正する。これにより、入力判定部４１は、拡張機能実行画面がタッチされたのか否かを、表示部５の最新の表示様態に基づいて、常に正確に判断することが可能となる。
【０１０８】
なお、拡張機能実行画面内のオブジェクトのレイアウトは、当該拡張機能実行画面を生成している拡張機能部４４のいずれかによって生成され、更新される。
【０１０９】
〔タッチ可能領域の補正例〕
図６の（ａ）〜（ｄ）は、表示部５に表示される画面の具体例と、操作可能領域補正部４２によって補正されるタッチ操作可能領域の例とを示す図である。（ａ）〜（ｄ）の各図において、上段は、表示部５に表示される画面を示し、下段は、タッチ操作可能領域を示す。
【０１１０】
図６の（ａ）は、テレビ画面全表示モード時の画面例およびタッチ操作可能領域の例を示す。図６の（ａ）の上段に示すとおり、テレビ画面全表示モード時は、拡張機能実行画面は表示部５に表示されていない。よって、テレビ画面全表示モードがテレビ信号処理装置２から通知された場合には、操作可能領域補正部４２は、図６の（ａ）の下段に示すとおり、画面情報５２を、タッチ操作可能領域がない状態に補正する。
【０１１１】
図６の（ｂ）は、拡張機能実行画面全表示モード時の画面例およびタッチ操作可能領域の例を示す。図６の（ｂ）の上段に示すとおり、拡張機能実行画面全表示モード時は、拡張機能部４４が処理を実行して生成した拡張機能実行画面が表示部５の全画面に表示される。ここでは、一例として、ブラウザアプリケーション４４ａが生成したウェブサイト画面が全画面表示されている。よって、拡張機能実行画面全表示モードがテレビ信号処理装置２から通知された場合には、操作可能領域補正部４２は、図６の（ｂ）の下段に示すとおり、画面情報５２において、タッチ操作可能領域がタッチパネル４の全域に及ぶように補正する。
【０１１２】
図６の（ｃ）は、混在表示モード時の画面例およびタッチ操作可能領域の例を示す。図６の（ｃ）の上段に示すとおり、混在表示モード時は、図４の（ｃ）の表示モード情報にしたがって、テレビ画面と拡張機能実行画面とがそれぞれの所定領域に並べて表示されている。よって、混在表示モードがテレビ信号処理装置２から通知された場合には、操作可能領域補正部４２は、図６の（ｃ）の下段に示すとおり、画面情報５２において、タッチ操作可能領域が、拡張機能実行画面の表示領域に対応するように補正する。
【０１１３】
混在表示モードには、図４の（ｃ）以外に他のパターンが定義されていてもよい。例えば、テレビ画面および拡張機能実行画面を、全画面表示時の縦横比を変更することなく、同じ大きさで表示部５に表示されるように横並びに配置されるパターンである（図６の（ｄ）の上段）。
【０１１４】
このような混在表示モードがテレビ信号処理装置２から通知された場合には、図６の（ｄ）の下段に示すとおり、操作可能領域補正部４２は、画面情報５２において、タッチ操作可能領域が、拡張機能実行画面の表示領域に対応するように補正する。
【０１１５】
〔デジタルテレビの処理フロー〕
図７は、本実施形態におけるデジタルテレビ１０の処理の流れを示すフローチャートである。
【０１１６】
まず、図７に示すフローが開始される時点では、一例として、拡張機能実行装置１において、ブラウザアプリケーション４４ａが起動されており、テレビ信号処理装置２において、テレビ画面全表示モードにてテレビ画面が全画面表示されているものとする。具体的には、拡張機能実行装置１から、テレビ信号処理装置２へ、ウェブサイト画面（拡張機能実行画面ｄ１）が供給されているが、入力部９を介してテレビ画面全表示モードが指定されている。このため、テレビ信号処理装置２は、テレビ画面生成部６２が生成したテレビ画面を全画面表示しており、上記ウェブサイト画面を表示していない。
【０１１７】
ここで、ユーザが、リモコンなどの入力部９を用いて、別の表示モードへの変更をテレビ信号処理装置２に対して指示すると、指示解析部６１がリモコン信号を解析して、指定された表示モードｄ２を出力制御部６３に供給する（Ｓ１０１においてＹＥＳ）。
【０１１８】
出力制御部６３は、スケーリング部２６、２７およびブレンド部２８を制御して、テレビ画面および拡張機能実行画面を拡縮し、並べて、Ｓ１０１にて指定された表示モードに変更する（Ｓ１０２）。例えば、Ｓ１０１にて、テレビ画面全表示モードから混在表示モードへと変更する指示が入力された場合には、出力制御部６３は、図４の（ｂ）の表示モードから図４の（ｃ）の表示モードに変更する。これにより、表示部５の画面は、図６の（ａ）の上段に示すテレビ画面から、図６の（ｃ）の上段に示す混在画面に切り替わる。
【０１１９】
続いて、表示モード通知部６４は、Ｓ１０１にて指定された表示モードを拡張機能実行装置１に通知する（Ｓ１０３：通知ステップ）。表示モード通知部６４が表示モードを通知するタイミングは、Ｓ１０２にてテレビ画面が混在画面に切り替わるのと同時か、その直後であることが好ましい。
【０１２０】
一方、拡張機能実行装置１において、操作可能領域補正部４２が表示モード通知部６４から表示モードの通知を受け取ると（Ｓ１０４においてＹＥＳ）、操作可能領域補正部４２は、通知された表示モードにしたがって画面情報５２を変更する。具体的には、拡張機能実行画面の表示領域と一致するように、操作可能領域を、図６の（ａ）の下段に示す状態から、図６の（ｃ）の下段に示すとおりに補正する（Ｓ１０５：領域特定ステップ）。
【０１２１】
これにより、入力判定部４１は、表示部５の最新の表示様態に一致した操作可能領域に基づいて、タッチ操作の位置を判定する（Ｓ１０６：入力判定ステップ）ことが可能となる。したがって、拡張機能部４４の各部は、タッチ操作に応じて正しく動作する（拡張機能実行ステップ）ことができる。
【０１２２】
以上の構成および方法によれば、テレビ信号処理装置２の出力制御部６３は、入力部９からの指示にしたがって、表示モードを変更し、表示モード通知部６４は、変更後の最新の表示モードを拡張機能実行装置１に対して通知する。
【０１２３】
拡張機能実行装置１の操作可能領域補正部４２は、表示モードが通知されると、この新しい表示モードにしたがって画面情報５２を補正する。具体的には、通知された表示モードにおいて特定される拡張機能実行画面の表示領域に一致するように操作可能領域を補正する。
【０１２４】
これにより、拡張機能実行装置１は、表示モードが変更されて、拡張機能実行画面の表示位置が変更されたとしても、変更後の正しい拡張機能実行画面の表示領域、すなわち、操作可能領域を把握することができる。よって、入力判定部４１は、タッチ操作の判定を常に正確に行うことができる。
【０１２５】
そのため、２つの制御部（拡張機能制御部４０、テレビ信号処理制御部６０）の制御下で、テレビ画面と拡張機能実行画面とを融合し、操作性に優れたユーザインターフェースを実現することができる。そして、テレビ信号処理制御部６０の制御下で表示モードの変更が行われても、拡張機能制御部４０は、拡張機能実行画面の表示領域を常に正しく把握することができ、上記ユーザインターフェースの正確性を維持することが可能となる。
【０１２６】
〔変形例〕
実施形態１では、表示モードを変更する指示は、専ら入力部９を介してテレビ信号処理装置２に入力され、テレビ信号処理装置２が受け付けている。しかしこのような構成に限らず、デジタルテレビ１０は、表示モードを変更する指示を、タッチパネル４を介して拡張機能実行装置１において受け付けてもよい。
【０１２７】
例えば、拡張機能部４４のコントローラアプリケーション４４ｂが、表示モードの変更を指示するためのソフトウェアキーを含んだ拡張機能実行画面を出力すると、そのソフトウェアキーがタッチ操作可能に表示部５に表示される。
【０１２８】
上記ソフトウェアキーがタッチされると、入力判定部４１は、このタッチ操作のタッチ位置をコントローラアプリケーション４４ｂに供給する。コントローラアプリケーション４４ｂは、タッチ位置から、どのソフトウェアキーがタッチされたのかを把握し、どの表示モードに変更するべきかを特定し、特定した表示モードを表示指示部４５に出力する。
【０１２９】
表示指示部４５は、コントローラアプリケーション４４ｂによって特定された表示モードをテレビ信号処理装置２に対して送信する。このとき、操作可能領域補正部４２は、上記特定された表示モードにしたがって画面情報５２を更新する。
【０１３０】
表示指示部４５から表示モードの指定を受け付けたテレビ信号処理装置２の指示解析部６１は、指定された表示モードｄ２を出力制御部６３に供給する。出力制御部６３は、指示解析部６１から供給された表示モードｄ２になるように画面レイアウトを変更する。
【０１３１】
上記構成によれば、拡張機能実行装置１は、タッチパネル４を介して入力されたユーザ指示に基づいて、ユーザが所望する表示モードを特定することができ、これをテレビ信号処理装置２に通知することができる。そして、テレビ信号処理装置２は、拡張機能実行装置１の指示どおりに表示モードを変更することができる。
【０１３２】
そのため、拡張機能実行装置１が把握している表示モードと、拡張機能実行装置１の指示にしたがってテレビ信号処理装置２が実際に実施する表示モードとの間で齟齬が生じない。よって、入力判定部４１は、タッチ操作の判定を常に正確に行うことができる。
【０１３３】
なお、ブラウザアプリケーション４４ａが、表示モードの変更を指示するためのソフトウェアキーを含んだ拡張機能実行画面を出力する場合も、同様である。
【０１３４】
≪実施形態２≫
本発明の一実施形態について、図８〜図１３に基づいて説明すると以下の通りである。
【０１３５】
実施形態１では、テレビ信号処理装置２は、テレビ信号処理装置２が処理するテレビ画面と、拡張機能実行装置１によって処理される拡張機能実行画面とを、混在表示することが可能な構成である。しかし、拡張機能実行装置１が取り付けられるテレビ信号処理装置２の中には、供給された拡張機能実行画面に対して拡縮したり、合成したりする機能を持たず、したがって、そのまま拡張機能実行画面を全画面表示するか、テレビ画面を全画面表示するかの２つの表示モードにしか対応していないものもある。
【０１３６】
このようなデジタルテレビ１０では、ユーザは、テレビ画面を見ながら拡張機能実行画面をタッチ操作するということが行えない。つまり、テレビ機能と拡張機能とを利用するための操作性に優れたインタフェースを実現できないという問題がある。
【０１３７】
本実施形態では、混在表示モードに対応していないテレビ信号処理装置が搭載された放送受信装置であっても、テレビ機能および拡張機能の両方を利用するための操作性に優れたインタフェース実現することが可能な放送受信装置について説明する。
【０１３８】
〔ハードウェア構成〕
本実施形態のデジタルテレビ１０において、図２に示す実施形態１のデジタルテレビ１０と異なる点は以下のとおりである。
【０１３９】
本実施形態のテレビ信号処理装置２は、ＨＤＭＩ分離部２２を介してテレビ信号処理装置２に供給された拡張機能実行画面の拡縮を行うスケーリング部２６を備えていない。ブレンド部２８は、出力制御部６３の制御下で、ＨＤＭＩ分離部２２から供給された拡張機能実行画面と、スケーリング部２７から供給されたテレビ画面とのいずれを表示部５に出力するのかを切り替えるものである。本実施形態では、ブレンド部２８は、グラフィックス処理部２４によって処理された映像信号と、スケーリング部２７によって処理された映像信号とを合成してテレビ画面を生成する。具体的には、ブレンド部２８は、出力制御部６３の制御下で、スケーリング部２７から供給された放送番組などの映像信号に、グラフィックス処理部２４によって生成されたＯＳＤ（On Screen Display）画像を重畳させることにより、テレビ画面を生成することができる。しかし、ブレンド部２８は、上記拡張機能実行画面と、上記テレビ画面とを合成して混在表示させる機能を有していない。
【０１４０】
〔デジタルテレビの機能〕
図８は、デジタルテレビ１０の要部構成を示す機能ブロック図である。本実施形態のデジタルテレビ１０において、図１に示す実施形態１のデジタルテレビ１０と異なる点は以下のとおりである。
【０１４１】
拡張機能実行装置１において、拡張機能実行部４３は、さらに、代替ＵＩ選択部（部分領域画像指定手段）４６を含む。代替ＵＩ選択部４６は、テレビ画面全表示モード時で拡張機能実行画面が表示部５において非表示である場合に、代替ＵＩ（User Interface）を選択するものである。代替ＵＩ選択部４６によって選択された代替ＵＩ（部分領域画像）は、表示指示部４５に供給される。
【０１４２】
表示指示部４５は、選択された代替ＵＩを生成するようにテレビ信号処理装置２に指示するための代替ＵＩ指図書ｄ４を、テレビ信号処理装置２に送信する。代替ＵＩ指図書ｄ４は、テレビ信号処理装置２が代替ＵＩを生成できるようにするため必要な情報を含む。例えば、代替ＵＩ指図書ｄ４には、代替ＵＩを特定する情報、代替ＵＩの生成手順、代替ＵＩの部品などが含まれている。
【０１４３】
操作可能領域補正部４２は、表示指示部４５によって代替ＵＩ指図書ｄ４が送出された場合に、代替ＵＩ選択部４６によって選択された代替ＵＩに含まれているタッチ操作可能なオブジェクトの表示領域を画面情報５２に反映する。
【０１４４】
代替ＵＩとは、非表示である正規の拡張機能実行画面に代わって、テレビ画面の一部としてテレビ画面に重ね合わせて表示可能であって、タッチ操作可能なオブジェクトを含んでいるものである。代替ＵＩは、拡張機能実行装置１によって映像信号として生成される拡張機能実行画面ｄ１とは異なる。代替ＵＩは、テレビ信号処理装置２において、テレビ画面を構成する一要素として生成される。すなわち、テレビ信号処理装置２のグラフィックス処理部２４が、ＯＳＤ画像として、代替ＵＩを生成する。これにより、テレビ画面全表示モードにおいて、元のテレビ画面の内容に合成して、タッチ操作可能な代替ＵＩを表示部５に表示させることが可能となる。したがって、テレビ信号処理装置２が、混在表示モードに対応していない場合であっても、ユーザは、テレビ画面内の放送番組を視聴しながら、拡張機能実行装置１に対してタッチ操作を行うことが可能となる。
【０１４５】
代替ＵＩ選択部４６は、より詳細には、入力判定部４１が、テレビ画面全表示モード時にタッチパネル４においてタッチ操作が検知されたと判定した場合に、その時にバックグラウンドで拡張機能実行装置１が実行していたアプリケーションを特定する。そして、代替ＵＩ選択部４６は、実行中のアプリケーションをタッチ操作するための適切な代替ＵＩを、代替ＵＩ保管庫５３に記憶されている代替ＵＩの中から選択する。
【０１４６】
なお、拡張機能実行装置１は、拡張機能部４４として、さらに、文書編集アプリケーション４４ｃおよび健康管理アプリケーション４４ｄを含んでいてもよい。
【０１４７】
文書編集アプリケーション４４ｃは、文字を入力して文章を編集するためのＵＩをユーザに提供し、文書データを作成する機能を有するアプリケーションである。
【０１４８】
健康管理アプリケーション４４ｄは、病院・介護施設などの施設に入院または通院している患者の健康を管理するためのアプリケーションである。この健康管理アプリケーション４４ｄがインストールされているデジタルテレビ１０としては、個々の入院患者に貸与され、多くの場合病室のベッドの隣に設置されるものが想定されている。あるいは、通院している患者の自宅に設置されるものが想定されている。
【０１４９】
患者は、ベッド脇に設置されたデジタルテレビ１０をタッチ操作することにより、健康管理アプリケーション４４ｄを利用することができる。健康管理アプリケーション４４ｄの機能としては、例えば、ナースコール機能が想定されている。拡張機能実行画面に、ナースコールボタンを配置し、これを患者がタッチすることにより、医療従事者に自身の異常を知らせることが可能となる。さらに、健康管理アプリケーション４４ｄの機能として、患者のスケジュールを管理する機能が想定されている。患者は、拡張機能実行画面をタッチ操作して、自身の診療スケジュールを表示部５に表示させたり、薬の服用スケジュールを表示部５に表示させたりすることが可能である。
【０１５０】
〔代替ＵＩについて〕
代替ＵＩ保管庫５３には、拡張機能部４４の各々に対応する代替ＵＩが格納されている。図９は、代替ＵＩ保管庫５３のデータ構造の一例を示す図である。なお、図９において、代替ＵＩ保管庫５３のデータ構造をテーブル形式にて示したことは一例であって、当該データ構造を、テーブル形式に限定する意図はない。以降、データ構造を説明するためのその他の図においても同様である。
【０１５１】
本実施形態では、代替ＵＩ保管庫５３は、拡張機能実行装置１にインストールされているアプリケーションごとに、代替ＵＩ識別子に対応付けて、代替ＵＩが記憶されている構成である。
【０１５２】
代替ＵＩのボタンのレイアウトを定義するための記述言語は、テレビ信号処理装置２が理解できる記述言語であればなんでもよい。例えば、ＢＭＬ（Broadcast Markup Language）などが用いられる。これにより、テレビ信号処理装置２は、ボタンの配置位置、形状、色、ボタン上に表示するテキストなどを理解することができる。なお、どのボタンにどのイベント（機能）が割り当てられているのかについては、拡張機能実行装置１において、少なくとも対応するアプリケーションが把握していればよい。
【０１５３】
代替ＵＩ選択部４６は、入力判定部４１からテレビ画面全表示モード時にタッチ操作が行われたという判定結果を受け付けると、その時に実行中である拡張機能部４４のアプリケーションがいずれであるのかを特定する。そして、特定したアプリケーションに対応する代替ＵＩを選択する。例えば、実行中のアプリケーションが、ブラウザアプリケーション４４ａであった場合には、代替ＵＩ選択部４６は、代替ＵＩ識別子が「Ｕ００１」の代替ＵＩを選択する。
【０１５４】
表示指示部４５は、本実施形態では、代替ＵＩ選択部４６が選択した代替ＵＩ識別子を、代替ＵＩ指図書ｄ４としてテレビ信号処理装置２に通知する。
【０１５５】
本実施形態では、テレビ信号処理装置２の記憶部７０には、代替ＵＩ保管庫７３が記憶されている。代替ＵＩ保管庫７３は、図９に示すとおり、代替ＵＩ保管庫５３と同じ情報を格納している。したがって、テレビ信号処理装置２は、代替ＵＩ識別子が指定されるだけで、拡張機能実行装置１の指示どおりの代替ＵＩを生成することが可能である。
【０１５６】
具体的には、指示解析部６１は、表示指示部４５から、代替ＵＩ指図書ｄ４として代替ＵＩ識別子を受信すると、これを、テレビ画面生成部６２に供給する。
【０１５７】
テレビ画面生成部６２は、代替ＵＩ保管庫７３を参照し、供給された代替ＵＩ識別子に基づいて、テレビ画面に含めるべき代替ＵＩを特定する。そして、その代替ＵＩを生成するように、グラフィックス処理部２４を制御する。グラフィックス処理部２４は、テレビ画面生成部６２の制御下で、特定された上記代替ＵＩをＯＳＤ画像として生成し、その映像信号をブレンド部２８に出力する。
【０１５８】
出力制御部６３は、スケーリング部２７およびブレンド部２８を制御して、スケーリング部２７から出力される映像信号（元のテレビ画面）と、グラフィックス処理部２４から出力される映像信号（ＯＳＤ画像）とを合成する。元のテレビ画面とは、例えば、放送番組である。出力制御部６３は、合成方法として、放送番組を全画面に配置したまま、当該放送番組に重畳させて、ＯＳＤ画像である代替ＵＩを重畳させてもよいし、あるいは、出力制御部６３は、代替ＵＩのボタンと重ならないように放送番組の領域を縮小して、放送番組と代替ＵＩとを並べて配置してもよい。いずれにしても、放送番組と代替ＵＩとを含むテレビ画面の映像信号が、出力制御部６３の制御によって、ブレンド部２８から表示部５へ出力される。
【０１５９】
〔代替ＵＩの合成例〕
図１０の（ａ）は、表示部５に表示される画面の具体例と、イベント発生に伴う画面遷移の例とを示す遷移図である。図１０の（ｂ）は、表示部５に表示される画面のうち、代替ＵＩが合成されたテレビ画面の他の具体例を示す図である。
【０１６０】
図１０の（ａ）において、上段の図は、テレビ画面全表示モード時の表示部５の画面を示す。テレビ画面全表示モード時にテレビ画面がタッチ操作（例えば、タップ）されると、代替ＵＩ選択部４６がこの時実行中のアプリケーション（例えば、ブラウザアプリケーション４４ａ）に対応する代替ＵＩを選択する。選択された代替ＵＩの表示を指示する代替ＵＩ指図書ｄ４が、表示指示部４５を介してテレビ信号処理装置２に通知される。
【０１６１】
テレビ信号処理装置２のテレビ画面生成部６２は、代替ＵＩ指図書ｄ４によって指定された代替ＵＩを生成し、出力制御部６３が代替ＵＩを元のテレビ画面（放送番組）に合成する。こうして、代替ＵＩが合成されたテレビ画面が、図１０の（ａ）の中段の図に示すとおり、表示部５に表示される。なお、出力制御部６３は、図１０の（ｂ）に示すように、元の放送番組と代替ＵＩとが重ならないように、放送番組の表示領域を縮小し、表示領域の位置を変更してもよい。
【０１６２】
図１０の（ａ）の中段の図に示す状態で、いずれかのボタン（例えば、「ホーム」ボタン）がタップされると、入力判定部４１は、代替ＵＩがタッチされたと判定し、タッチ操作情報を、実行中のアプリケーション（上記の例では、ブラウザアプリケーション４４ａ）に伝達する。ブラウザアプリケーション４４ａは、タッチ操作情報に含まれているタッチ位置から、「ホーム」ボタンがタッチされたと認識し、当該ボタンに割り当てられた機能を実行する。例えば、ブラウザアプリケーション４４ａは、事前に設定されているＵＲＬに基づいて外部のサーバにアクセスし、ホームページをダウンロードして、ホームページのウェブサイト画面を生成する。
【０１６３】
ブラウザアプリケーション４４ａによって生成された拡張機能実行画面ｄ１としての上記ウェブサイト画面は、テレビ信号処理装置２に供給される。テレビ信号処理装置２の出力制御部６３は、図１０の（ａ）の下段の図に示すとおり、拡張機能実行画面全表示モードにて、上記ウェブサイト画面を表示部５に表示する。
【０１６４】
なお、拡張機能実行装置１の入力判定部４１は、表示部５に表示されている最新の画面レイアウトを示す画面情報５２を参照することにより、現在の表示モードがテレビ画面全表示モードであるのか拡張機能実行画面全表示モードであるのかを把握することができる。本実施形態において、画面情報５２を常に最新の状態に維持する方法は特に限定されない。例えば、以下の技術を採用することができる。
【０１６５】
まず、実施形態１の技術を採用することが考えられる。すなわち、テレビ信号処理装置２は、表示モード通知部６４を備えている。表示モード通知部６４は、出力制御部６３が表示モードを切り替える度に最新の表示モードｄ２を拡張機能実行装置１に通知する。拡張機能実行装置１は、操作可能領域補正部４２を備えている。操作可能領域補正部４２は、テレビ信号処理装置２から表示モードｄ２の通知を受け取ると、その表示モードに基づいて、画面情報５２を更新する。
【０１６６】
あるいは、拡張機能実行装置１の入力判定部４１を、以下のように構成することが考えられる。入力判定部４１は、タッチ操作が検知される度に、表示モード通知部６４に対して、最新の表示モードについて問合せを行う。テレビ信号処理装置２の表示モード通知部６４は、上記問合せの応答として、現在の表示モードｄ２を拡張機能実行装置１に返信する。操作可能領域補正部４２は、テレビ信号処理装置２から表示モードｄ２の通知を受け取ると、その表示モードに基づいて、画面情報５２を更新する。
【０１６７】
上記のいずれかの構成によれば、入力判定部４１は、常に最新の状態に維持された画面情報５２を参照することができ、テレビ画面全表示モード時にタッチ操作が検知された場合に、テレビ画面がタッチされたといつでも正確に判定することができる。
【０１６８】
〔デジタルテレビの処理フロー〕
次に、上述の具体例を再び用いて、デジタルテレビ１０の処理の流れを説明する。図１１は、本実施形態におけるデジタルテレビ１０の処理の流れを示すフローチャートである。
【０１６９】
まず、図１１に示すフローが開始される時点では、図１０の（ａ）の上段の図に示すとおり、テレビ信号処理装置２においては、テレビ画面全表示モードにてテレビ画面が全画面表示されている。ここで、拡張機能実行装置１においては、バックグラウンドでブラウザアプリケーション４４ａが実行されているものとする。
【０１７０】
テレビ画面全表示モード時に、ユーザがタッチパネル４をタップしたとする。こうしてタッチ操作がタッチパネル４にて検知されると、入力判定部４１は、テレビ画面がタップされたと判定する（Ｓ２０１においてＹＥＳ、Ｓ２０２およびＳ２０３においてＮＯ）。そして、入力判定部４１は、テレビ画面がタップされた旨の判定結果を代替ＵＩ選択部４６に通知する。この場合、入力判定部４１は、タッチ操作情報を拡張機能部４４には供給しない。これにより、拡張機能部４４による誤動作は回避される。
【０１７１】
なお、入力判定部４１は、拡張機能実行画面全表示モード時にタッチ操作が検知されたと判定した場合（Ｓ２０２においてＹＥＳ）、または、テレビ画面全表示モードであっても代替ＵＩがタッチされたと判定した場合（Ｓ２０３においてＹＥＳ）、タッチ操作情報を、実行中のいずれかのアプリケーションに供給する。
【０１７２】
代替ＵＩ選択部４６は、上記判定結果を入力判定部４１から受け付けると、まず、実行中のアプリケーションを特定する（Ｓ２０４）。そして、代替ＵＩ選択部４６は、特定したアプリケーションに対応する代替ＵＩを、表示部５に表示すべき代替ＵＩとして選択する（Ｓ２０５）。上述の例では、代替ＵＩ選択部４６は、バックグラウンドでブラウザアプリケーション４４ａが実行されていると判断して、代替ＵＩ保管庫５３を参照し、代替ＵＩ識別子が「Ｕ００１」の代替ＵＩを選択する。
【０１７３】
表示指示部４５は、選択された代替ＵＩを表示するようにテレビ信号処理装置２に対して指示するための代替ＵＩ指図書ｄ４をテレビ信号処理装置２に通知する（Ｓ２０６）。本実施形態では、例えば、代替ＵＩ指図書ｄ４には、代替ＵＩ識別子「Ｕ００１」が少なくとも含まれる。ここで、操作可能領域補正部４２は、Ｓ２０５において選択された代替ＵＩに基づいて画面情報５２を更新する（Ｓ２０７）。具体的には、上記代替ＵＩに含まれるタッチ操作が可能なオブジェクトの表示領域を、テレビ画面の表示領域に追加する。
【０１７４】
一方、テレビ信号処理装置２の指示解析部６１が代替ＵＩ指図書ｄ４を受信すると（Ｓ２０８においてＹＥＳ）、代替ＵＩ指図書ｄ４に含まれる上記代替ＵＩ識別子がテレビ画面生成部６２に供給される。
【０１７５】
テレビ画面生成部６２は、代替ＵＩ保管庫７３を参照し、代替ＵＩ識別子「Ｕ００１」に対応付けられている代替ＵＩを読み出す。そして、この代替ＵＩのＯＳＤ画像を生成する（Ｓ２０９）。続いて、出力制御部６３は、元の放送番組に、代替ＵＩのＯＳＤ画像を合成する（Ｓ２１０）。例えば、図１０の（ａ）の中段の図に示すとおり、放送番組に代替ＵＩのＯＳＤ画像を重畳させる。あるいは、出力制御部６３は、図１０の（ｂ）に示すように、放送番組と代替ＵＩとが重ならないように、放送番組の表示領域を縮小してその表示領域を変更し、放送番組と代替ＵＩとを並べて配置してもよい。そして、代替ＵＩが合成されたテレビ画面が、表示部５に表示される（Ｓ２１１）。
【０１７６】
なお、操作可能領域補正部４２は、最も好ましくは、Ｓ２１１の時点で、画面情報５２を更新するが、Ｓ２１１の直前または直後に画面情報５２を更新しても構わない。
【０１７７】
代替ＵＩが表示部５に表示された後にタッチパネル４がタッチ操作を受け付けた場合には、入力判定部４１は、更新された画面情報５２を参照することにより、テレビ画面全表示モードであっても、タッチ操作可能なオブジェクトがタッチされたのか否かを判定することができる（Ｓ２０３）。
【０１７８】
例えば、図１０の（ａ）に示すとおり、「ホーム」ボタンがタッチされた場合には（Ｓ２０３においてＹＥＳ）、入力判定部４１は、代替ＵＩがタッチされたと判定し、タッチ操作情報を、実行中のアプリケーション（ここでは、ブラウザアプリケーション４４ａ）に供給する。そして、ブラウザアプリケーション４４ａは、上記タッチ操作情報にしたがって、「ホーム」ボタンがタッチされたと認識し、「ホーム」ボタンに割り当てられた機能を実行する（Ｓ２１２）。この実行結果を反映した拡張機能実行画面ｄ１は、表示指示部４５を介してテレビ信号処理装置２に供給される。
【０１７９】
テレビ信号処理装置の２出力制御部６３は、代替ＵＩが表示された後に拡張機能実行画面ｄ１を新たに受信した場合には、その画面は、代替ＵＩが操作されたことに基づいて生成された画面であると判断してもよい。そして、出力制御部６３は、表示モードを、テレビ画面全表示モードから拡張機能実行画面全表示モードに切り替えて、上記拡張機能実行画面ｄ１を表示部５に全画面表示してもよい（Ｓ２１３）。あるいは、入力部９を介して入力されるユーザの指示にしたがって動作してもよい（Ｓ２１３）。
【０１８０】
以上のとおり、上記構成および方法によれば、デジタルテレビ１０は、テレビ信号処理装置２が混在表示モードに対応しない仕様であっても、テレビ画面を全画面表示しつつ、バッググラウンドで実行されている拡張機能実行画面をタッチ操作するための代替ＵＩ（ＯＳＤ画像）も併せて表示することができる。したがって、テレビ機能と拡張機能とを利用するための操作性に優れたインタフェースを実現できるという効果を奏する。
【０１８１】
〔変形例〕
実施形態２において、代替ＵＩ保管庫５３および代替ＵＩ保管庫７３における代替ＵＩの利用または維持を容易に行うために、もしくは、代替ＵＩ保管庫５３および代替ＵＩ保管庫７３の小容量化のために、代替ＵＩ保管庫５３は、異なるデータ構造を有してしてもよい。
【０１８２】
具体的には、代替ＵＩを構成する要素のうち、複数のアプリケーションに共通する汎用性の高い要素について、雛型を定義しておく。そして、アプリケーションごとに異なる要素については、表示指示部４５が、代替ＵＩ指図書ｄ４としてテレビ信号処理装置２に通知する。
【０１８３】
図１２は、代替ＵＩ保管庫５３のデータ構造の他の例を示す図である。本変形例では、代替ＵＩ保管庫５３は、代替ＵＩの雛型を格納するためのテーブルと、アプリケーションごとに異なる要素を格納するためのテーブルとを有する。
【０１８４】
図１２の（ａ）は、雛型を格納するテーブルである。このテーブルには、雛型識別子に対応付けていくつかの雛型が格納されている。雛型は、例えば、タッチ操作が可能なオブジェクト（ボタン）のレイアウトを定義する。複数のアプリケーションに対して共通の雛型が採用されてもよい。
【０１８５】
雛型に配置されている各ボタンに割り当てられた機能を説明する文字列は、アプリケーションごとに異なる。したがって、文字列の要素は、アプリケーションごとに別のテーブルに格納されている。
【０１８６】
図１２の（ｂ）は、ボタンに付与する文字列を格納するテーブルである。このテーブルには、アプリケーションごとに、アプリケーションに対応する雛型の雛型識別子と、その雛型に配置されている各ボタンに付与する文字列の要素とが対応付けて格納されている。
【０１８７】
例えば、「雛型識別子」のカラムによれば、ブラウザアプリケーション４４ａについては、雛型識別子「Ｔ００１」の雛型が採用される。そして、「文字列」のカラムにおいて、ブラウザアプリケーション４４ａについて上記雛型を用いる場合には、ボタンＡには文字列「ホーム」を、ボタンＢには文字列「前のページ」を、ボタンＣには文字列「次のページ」を、ボタンＤには文字列「終了」を付与することが規定されている。
【０１８８】
代替ＵＩ選択部４６は、テレビ画面がタッチされた時に実行中のアプリケーションがブラウザアプリケーション４４ａであると特定した場合には、図１２に示す代替ＵＩ保管庫５３を参照して、ブラウザアプリケーション４４ａに適するように、雛型（「Ｔ００１」）と、各ボタンの文字列の要素とを選択することができる。
【０１８９】
表示指示部４５は、代替ＵＩ選択部４６によって雛型と文字列とが選択されると、これらを含む代替ＵＩ指図書ｄ４を生成してテレビ信号処理装置２に通知する。図１３は、本変形例における代替ＵＩ指図書ｄ４のデータ構造を示す図である。図１３に示すとおり、代替ＵＩ指図書ｄ４には、少なくとも、代替ＵＩ選択部４６によって選択された雛型の雛型識別子と、代替ＵＩ選択部４６によって選択された文字列の要素とが含まれる。
【０１９０】
一方、テレビ信号処理装置２が参照する代替ＵＩ保管庫７３には、図１２の（ａ）に示す雛型のテーブルが格納されているだけでよい。テレビ画面生成部６２は、通知された雛型識別子に基づいて、代替ＵＩ保管庫７３から対応する雛型を読み出し、同じく通知された各ボタンの文字列を読み出した雛型の各ボタンに組み合わせることにより代替ＵＩを生成することができる。図１３に示す代替ＵＩ指図書ｄ４が通知された場合には、テレビ画面生成部６２は、図９に示す代替ＵＩ識別子「Ｕ００１」と同じ代替ＵＩを生成することができる。結果として、出力制御部６３は、実施形態２と同様に、図１０の（ａ）の中段の図または図１０の（ｂ）のような合成画面を表示部５に表示することができる。
【０１９１】
上記構成によれば、代替ＵＩ保管庫７３に格納しておく情報量を、図９に示す代替ＵＩ保管庫７３と比較して小容量化することができる。また、代替ＵＩのメンテナンスが容易になるというメリットもある。例えば、ブラウザアプリケーション４４ａの代替ＵＩのボタンレイアウトを変更したい場合、図９に示す例では、代替ＵＩ保管庫５３および代替ＵＩ保管庫７３に格納されているブラウザアプリケーション４４ａの代替ＵＩを作成しなおさなければならない。一方、本変形例では、代替ＵＩ保管庫５３に記憶されている図１２の（ｂ）のテーブルのうち、アプリケーションに対応付ける雛型識別子を変更するだけで済む。ボタンの数が変更になる場合であっても、必要に応じて、文字列の要素を更新するだけで済む。テレビ信号処理装置２の代替ＵＩ保管庫７３に対してメンテナンスは不要である。このように、本変形例によれば、代替ＵＩの更新の手間を大幅に削減することが可能である。
【０１９２】
〔ソフトウェアによる実現例〕
拡張機能実行装置１およびテレビ信号処理装置２の制御ブロック（特に、拡張機能実行装置１の拡張機能制御部４０の各部、および、テレビ信号処理装置２のテレビ信号処理制御部６０の各部）は、集積回路（ＩＣチップ）等に形成された論理回路（ハードウェア）によって実現してもよいし、ＣＰＵ（Central Processing Unit）を用いてソフトウェアによって実現してもよい。
【０１９３】
後者の場合、拡張機能実行装置１およびテレビ信号処理装置２のそれぞれは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１９４】
〔まとめ〕
本発明の態様１に係る放送受信装置１０は、表示部５と一体に形成されたタッチパネル４を備えた放送受信装置であって、テレビジョン放送信号を処理して上記表示部に出力するテレビ信号処理装置２と、上記テレビジョン放送信号を処理する機能に加えて当該放送受信装置に付加される、１または複数の拡張機能を実行する拡張機能実行装置１と、を備え、上記テレビ信号処理装置は、上記テレビジョン放送信号を処理して生成したテレビ画面、および、上記拡張機能実行装置が上記拡張機能を実行した結果として出力した拡張機能実行画面の少なくともいずれか１つを、上記表示部に表示する出力制御手段（出力制御部６３）と、上記出力制御手段によって表示される上記テレビ画面および上記拡張機能実行画面のうち、少なくとも上記拡張機能実行画面の表示領域を上記拡張機能実行装置に通知する通知手段（表示モード通知部６４）と、を有し、上記拡張機能実行装置は、上記通知手段によって通知された表示領域を、上記拡張機能実行画面に対するタッチ操作を受け付ける操作可能領域として特定する領域特定手段（操作可能領域補正部４２）と、上記タッチパネルが検出する位置情報に基づいて、タッチ操作された位置が上記操作可能領域上であるか否かを判定する入力判定手段（入力判定部４１）と、を有している。
【０１９５】
上記の構成によれば、放送受信装置は、テレビジョン放送信号を処理するテレビ信号処理装置と、１または複数の拡張機能を実行する拡張機能実行装置とを備えている。そして、入力制御は、拡張機能実行装置によって実施され、該入力制御に基づいた出力制御は、テレビ信号処理装置によって実施される。具体的には、テレビ信号処理装置の出力制御手段が、テレビジョン放送信号を処理して得られた映像信号を含むテレビ画面、および、拡張機能実行装置が拡張機能を実行した結果として出力した拡張機能映像信号を含む拡張機能実行画面の少なくともいずれか１つを、放送受信装置の表示部に出力する。通知手段は、出力制御手段によって表示されるテレビ画面および拡張機能実行画面のうち、少なくとも拡張機能実行画面の表示領域を拡張機能実行装置に通知する。拡張機能実行装置の領域特定手段は、拡張機能実行画面の表示領域が通知されると、この通知に従って拡張機能実行画面に対するタッチ操作を受け付ける操作可能領域を特定する。そして、拡張機能実行装置の入力判定手段は、表示部と一体に形成されたタッチパネルが検出する位置情報に基づいて、タッチ操作された位置が、テレビ画面上にあるのか、拡張機能実行画面上にあるのかを判定する。
【０１９６】
これにより、拡張機能実行装置は、テレビ信号処理装置によって拡張機能実行画面の表示位置が変更されたとしても、変更後の正しい拡張機能実行画面の表示領域、すなわち、操作可能領域を把握することができるので、入力判定手段は、拡張機能実行画面へのタッチ操作の判定を常に正確に行うことができる。よって、テレビ機能と拡張機能とを利用するための操作性に優れたインタフェースを備えた放送受信装置が実現できるという効果を奏する。
【０１９７】
本発明の態様２に係る放送受信装置は、上記態様１において、上記通知手段は、上記テレビ画面を表示するテレビ画面表示モード、上記拡張機能実行画面を表示する拡張機能実行画面表示モード、および、両方の画面を表示する混在表示モードのうち、上記出力制御手段が実施している表示モードを上記拡張機能実行装置に通知し、上記領域特定手段は、上記通知手段によって通知された表示モードによって指定される拡張機能実行画面の表示領域を操作可能領域として特定してもよい。
【０１９８】
上記の構成によれば、通知手段は、出力制御手段が実施している表示モードが、テレビ画面表示モード、拡張機能実行画面表示モード、および、混在表示モードのうちのいずれであるかを拡張機能実行装置に通知する。そして、拡張機能実行装置は、通知された表示モードによって指定される拡張機能実行画面の表示領域を操作可能領域として特定する。
【０１９９】
これにより、表示モードが拡張機能実行画面表示モードであり、拡張機能実行画面のみが表示されている場合、および、表示モードが混在表示モードであり、拡張機能実行画面とテレビ画面との両方が表示されている場合には、出力制御手段によって表示されている拡張機能実行画面の表示領域に基づいて、拡張機能実行画面に対するタッチ操作を受け付ける操作可能領域を特定する。一方、表示モードがテレビ画面表示モードであり、拡張機能実行画面が非表示である場合には、テレビ画面上がタッチされても、該タッチは拡張機能実行画面へのタッチ操作ではない、として該タッチに対応して実質的な処理を実行しない。よって、拡張機能実行画面が表示されていないときに、ユーザによる意図しないテレビ画面上への接触を、拡張機能実行画面へのタッチ操作として誤って処理することを防止できる。
【０２００】
本発明の態様３に係る放送受信装置は、上記態様１または２において、上記タッチパネルおよび上記テレビ信号処理装置が接続されたコネクタを有し、該コネクタを介して、上記拡張機能実行装置が着脱可能に構成されていてもよい。
【０２０１】
上記の構成によれば、拡張機能実行装置は、放送受信装置の筐体から着脱可能である。拡張機能の進歩の早さに伴って、拡張機能実行装置の買い替えサイクルは、放送受信装置の筐体の買い替えサイクルよりもはるかに短くなると考えられる。したがって、拡張機能実行装置を着脱可能な構成であれば、拡張機能実行装置のみを入れ替えることができるため、放送受信装置そのものを買い替えるよりも安価に、放送受信装置の拡張機能を入れ替えることが可能である。
【０２０２】
本発明の態様４に係る放送受信装置の制御方法は、表示部と一体に形成されたタッチパネルを備えた放送受信装置の制御方法であって、上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、上記テレビ信号処理装置が上記テレビジョン放送信号を処理して生成したテレビ画面、および、上記拡張機能実行装置が上記拡張機能を実行した結果として出力した拡張機能実行画面のうち、上記テレビ信号処理装置が上記表示部に表示する、少なくとも上記拡張機能実行画面の表示領域を上記テレビ信号処理装置が上記拡張機能実行装置に通知する通知ステップ（Ｓ１０３）を含み、上記通知ステップによって通知された表示領域を、上記拡張機能実行画面に対するタッチ操作を受け付ける操作可能領域として上記拡張機能実行装置が特定する領域特定ステップ（Ｓ１０５）と、上記タッチパネルが検出した位置情報に基づいて、タッチ操作された位置が上記操作可能領域上であるか否かを上記拡張機能実行装置が判定する入力判定ステップ（Ｓ１０６）と、を含んでいる。
【０２０３】
上記の方法によれば、上記態様１と同様の効果を奏する。
【０２０４】
本発明の態様５に係る放送受信装置１０は、表示部５と一体に形成されたタッチパネル４を備えた放送受信装置であって、テレビジョン放送信号を処理して上記表示部に出力するテレビ信号処理装置２と、上記テレビジョン放送信号を処理する機能に加えて当該放送受信装置に付加される、１または複数の拡張機能を実行する拡張機能実行装置１と、を備え、上記テレビジョン放送信号を処理して生成したテレビ画面を、上記表示部に表示する出力制御手段（出力制御部６３）と、上記拡張機能実行装置により指定された部分領域画像を含む上記テレビ画面を合成した合成画面を、上記テレビ画面として生成する画面合成手段（テレビ画面生成部６２）と、を有し、上記拡張機能実行装置は、上記画面合成手段によって上記テレビ画面に重ね合わせる上記部分領域画像を指定する部分領域画像指定手段（代替ＵＩ選択部４６）と、上記タッチパネルが検出する位置情報に基づいて、タッチ操作された位置が、上記部分領域画像上であるか否かを判定する入力判定手段（入力判定部４１）と、を有している。
【０２０５】
上記の構成によれば、放送受信装置は、テレビジョン放送信号を処理するテレビ信号処理装置と、１または複数の拡張機能を実行する拡張機能実行装置とを備えている。そして、入力制御は、拡張機能実行装置によって実施され、該入力制御に基づいた出力制御は、テレビ信号処理装置によって実施される。具体的には、テレビ信号処理装置の出力制御手段が、上記テレビジョン放送信号を処理して得られた映像信号を含むテレビ画面を、放送受信装置の表示部に出力する。画面合成手段は、拡張機能実行装置の部分領域画像指定手段から、テレビ画面に重ね合わせる部分領域画像の指定を受けると、該部分領域画像を含むテレビ画面を合成した合成画面を生成する。そして、拡張機能実行装置の入力判定手段は、表示部と一体に形成されたタッチパネルが検出する位置情報に基づいて、タッチ操作された位置が、部分領域画像上にあるか否かを判定する。
【０２０６】
これにより、拡張機能実行装置は、テレビ信号処理装置によって拡張機能実行画面が非表示である場合においても、タッチ操作可能な操作可能領域を表す部分領域画像を含むテレビ画像の表示を指示する。この部分領域画像の表示領域に対してタッチ操作することにより、テレビ信号処理装置が、テレビ画面と拡張機能実行画面とを同時に表示できない仕様であっても、テレビ画面を視聴しながら拡張機能に対する操作入力を行うことができる。よって、テレビ機能と拡張機能とを利用するための操作性に優れたインタフェースを実現することができるという効果を奏する。
【０２０７】
なお、上記放送受信装置は、コンピュータによって実現してもよく、この場合には、コンピュータを上記各手段として動作させることにより上記放送受信装置、拡張機能実行装置、または、テレビ信号処理装置をコンピュータにて実現させる、上記放送受信装置、拡張機能実行装置、または、テレビ信号処理装置の制御プログラム、およびそれを記録したコンピュータ読み取り可能な記録媒体も、本発明の範疇に入る。
【０２０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２０９】
本発明の放送受信装置は、テレビジョン放送信号を受信して処理する機能（テレビ機能）に加えて、拡張機能を有するスマートテレビ、あるいは、テレビ機能を有する各種情報処理装置（電子黒板、タブレット端末、デスクトップパソコン、ノートパソコン、ゲーム機など）に適用することが可能である。
【符号の説明】
【０２１０】
１  拡張機能実行装置
２  テレビ信号処理装置
４  タッチパネル
５  表示部
８  コネクタ
１０  デジタルテレビ（放送受信装置）
４１  入力判定部（入力判定手段）
４２  操作可能領域補正部（領域特定手段）
４６  代替ＵＩ選択部（部分領域画像指定手段）
６２  テレビ画面生成部（画面合成手段）
６３  出力制御部（出力制御手段）
６４  表示モード通知部（通知手段）
Ｓ１０３  通知ステップ
Ｓ１０５  領域特定ステップ
Ｓ１０６  入力判定ステップ
【図１】
2015056745.tif 000003
【図２】
2015056745.tif 000004
【図３】
2015056745.tif 000005
【図４】
2015056745.tif 000006
【図５】
2015056745.tif 000007
【図６】
2015056745.tif 000008
【図７】
2015056745.tif 000009
【図８】
2015056745.tif 000010
【図９】
2015056745.tif 000011
【図１０】
2015056745.tif 000012
【図１１】
2015056745.tif 000013
【図１２】
2015056745.tif 000014
【図１３】
2015056745.tif 000015